(57)【要約】【課題】  閉鎖状態で屋外から見た場合の体裁を良好にすると共に、防犯上も有利な構造を提供する。【解決手段】  シャッタ１の引き出し方向先端に位置するスラット７の屋内側面で、このシャッタ１を閉鎖位置に移動させた状態で屋外側から見えない部分に、このシャッタ１を上枠及び下枠に沿って移動させる際の手掛かりとなる移動框２５を結合固定する。この為、閉鎖状態で屋外側に上記移動框２５が露出する事がなく、上記課題を解決できる。又、この移動框２５を、隣り合うスラット７、７に掛け渡す状態で設ける事により、この移動框２５に手を掛けて上記シャッタ１を開閉する際に上記スラット７、７を傾斜しにくくして、この開閉に要する力の低減を図る。【選択図】  図２
2006132268.tif 000002
【特許請求の範囲】
【請求項１】
建造物の外壁面のうちでこの建造物に設けられた開口部の側方部分に、鉛直方向に亙って配置された巻き取り軸と、それぞれが縦方向に長い短冊状に形成された複数枚のスラットの幅方向端縁同士を揺動変位自在に結合して成り、上記巻き取り軸への巻き取り及びこの巻き取り軸からの引き出しを自在とされたシャッタと、上記外壁面の一部に上記開口部の上辺に沿って設けられた、下面にこのシャッタの上端部を案内する為の上部ガイド溝を設けた上枠と、上記外壁面の一部に上記開口部の下辺に沿って設けられた、上面に上記シャッタの下端部を案内する為の下部ガイド溝を設けた下枠とを備えたシャッタ式雨戸装置に於いて、上記シャッタの引き出し方向先端に位置するスラットの屋内側面で、少なくともこのシャッタを閉鎖位置に移動させた状態で屋外側から見えない部分に、このシャッタを上記上枠及び下枠に沿って移動させる際の手掛かりとなる移動框を結合固定したシャッタ式雨戸装置。
【請求項２】
各スラットは、押出型材製で、屋内側面の幅方向２個所位置に、それぞれがシャッタの移動方向に開口した係止凹溝が、互いの開口を逆方向に向けた状態で設けられたものであり、移動框は、押出型材製で、屋外側端部の２個所位置に第一、第二の係止突条を形成したものであって、このうちの第一の係止突条を、シャッタの引き出し方向先端に位置するスラットの屋内側面に形成した１対の係止凹溝のうちの一方の係止凹溝に、第二の係止突条を他方の係止凹溝に、それぞれ係止する事により、上記引き出し方向先端に位置するスラットの屋内側面に結合固定している、請求項１に記載したシャッタ式雨戸装置。
【請求項３】
各スラットは、押出型材製で、屋内側面の幅方向２個所位置に、それぞれがシャッタの移動方向に開口した係止凹溝が、互いの開口を逆方向に向けた状態で設けられたものであり、移動框は、押出型材製で、屋外側端部の２個所位置に第一、第二の係止突条を形成したものであって、このうちの第一の係止突条を、シャッタの引き出し方向先端に位置するスラットの屋内側面に形成した１対の係止凹溝のうちの先端側の係止凹溝に、第二の係止突条を、シャッタの引き出し方向先端に位置するスラットの隣に位置する第二のスラットの屋内側面に形成した１対の係止凹溝のうち、このシャッタの引き出し方向先端に位置するスラットから遠い側に存在する係止凹溝に、それぞれ係止する事により、上記引き出し方向先端に位置する２枚のスラットの屋内側面に結合固定している、請求項１に記載したシャッタ式雨戸装置。
【請求項４】
移動框の屋外側端部で第一、第二の係止突条の間部分に第三の係止突条を形成し、この第三の係止突条を、これら第一、第二の係止突条を係止した１対の係止凹溝の間に存在する別の係止凹溝に係合させた、請求項３に記載したシャッタ式雨戸装置。
【請求項５】
移動框が、それぞれが押出型材製である主体と補助体とをねじにより結合固定して成るものであり、このうちの主体の屋外側端部に第一の係止突条と第二の係止突条とのうちの一方の係止突条を、補助体の屋外側端部に同じく他方の係止突条を、それぞれ形成している、請求項２〜４の何れか１項に記載したシャッタ式雨戸装置。
【請求項６】
巻き取り軸が開口部の両側方部分に設けられており、この開口部を閉鎖する状態で、これら両巻き取り軸から引き出した１対のシャッタの先端縁同士がこの開口部の水平方向中間部で突き合わせられ、これら両シャッタの引き出し方向先端に位置するスラットの屋内側面で、これら両シャッタを閉鎖位置に移動させた状態で屋外側から見えない部分に、それぞれ移動框を結合固定している、請求項１〜５の何れか１項に記載したシャッタ式雨戸装置。
【発明の詳細な説明】
【技術分野】
【０００１】
この発明は、一般住宅等の建造物の窓開口（腰窓及び掃き出し窓を含む＝特許請求の範囲に記載した開口部）を開閉する為のシャッタ式雨戸装置の改良に関し、閉鎖状態で屋外から見た場合の体裁を良好にすると共に、防犯上も有利な構造を提供するものである。
【背景技術】
【０００２】
それぞれが短冊状に形成された複数枚のスラットの幅方向端縁同士を揺動変位自在に結合して成り、巻き取り軸への巻き取り及びこの巻き取り軸からの引き出しを自在としたシャッタを使用した雨戸装置が、一部で使用されている。但し、雨戸装置として使用されているシャッタ装置の多くは、建造物の外壁面のうちで上記窓開口の上側部分に巻き取り軸を、水平方向に設けた構造を有する。窓開口を開放する場合には、上記シャッタを上方に巻き上げ、この窓開口を下側から順番に解放する。この様な従来から広く使用されているシャッタ式雨戸装置の場合には、例えば日差しの方向等に応じて、窓開口の水平方向の一部のみ解放しておく事はできない。
【０００３】
これに対して特許文献１には、横開き式のシャッタ式雨戸装置が記載されている。このシャッタ式雨戸装置は、巻き取り軸と、シャッタと、上枠と、下枠とを備える。このうちの巻き取り軸は、建造物の外壁面のうちでこの建造物に設けられた窓開口（開口部）の側方部分に、鉛直方向に亙って配置されている。又、上記シャッタは、それぞれが縦方向に長い短冊状に形成された複数枚のスラットの幅方向端縁同士を、揺動変位自在に結合して成り、上記巻き取り軸への巻き取り及びこの巻き取り軸からの引き出しを自在とされている。又、上記上枠は、上記外壁面の一部に上記開口部の上辺に沿って設けられたもので、下面にこのシャッタの上端部を案内する為の上部ガイド溝を設けている。又、上記下枠は、上記外壁面の一部に上記開口部の下辺に沿って設けられたもので、上面に上記シャッタの下端部を案内する為の下部ガイド溝を設けている。
【０００４】
この様なシャッタ式雨戸装置の場合には、上記シャッタの開閉を容易に行なえる様にすべく、このシャッタの引き出し方向先端縁に、このシャッタを上記上枠及び下枠に沿って移動させる際の手掛かりとなる移動框を結合固定する必要がある。この為に上記引用文献１に記載された発明の場合には、引き出し方向先端に位置するスラットに、このスラットよりも更に引き出し方向前方に突出する状態で、上記移動框を結合固定している。この様な移動框は、上記シャッタ式雨戸装置を閉鎖した状態でも屋外側からはっきりと目視できる。この為、閉鎖状態で屋外から見た場合の意匠が悪くなる。又、屋外側から上記シャッタを解放する為に利用可能な手掛かりが存在する為、防犯上も好ましくない。
【０００５】
【特許文献１】特開２００２−３６４２６５号公報
【発明の開示】
【発明が解決しようとする課題】
【０００６】
本発明は、上述の様な事情に鑑みて、閉鎖状態で屋外から見た場合の体裁を良好にすると共に、防犯上も有利な構造を提供すべく、閉鎖状態で屋外側に移動框が露出する事のないシャッタ式雨戸装置を実現するものである。
【課題を解決するための手段】
【０００７】
本発明のシャッタ式雨戸装置は、前述の特許文献１に記載されて従来から知られているシャッタ式雨戸装置と同様に、巻き取り軸と、シャッタと、上枠と、下枠とを備える。このうちの巻き取り軸は、建造物の外壁面のうちでこの建造物に設けられた窓開口（開口部）の側方部分に、鉛直方向に亙って配置されている。又、上記シャッタは、それぞれが縦方向に長い短冊状に形成された複数枚のスラットの幅方向端縁同士を、揺動変位自在に結合して成り、上記巻き取り軸への巻き取り及びこの巻き取り軸からの引き出しを自在とされている。又、上記上枠は、上記外壁面の一部に上記開口部の上辺に沿って設けられたもので、下面にこのシャッタの上端部を案内する為の上部ガイド溝を設けている。又、上記下枠は、上記外壁面の一部に上記開口部の下辺に沿って設けられたもので、上面に上記シャッタの下端部を案内する為の下部ガイド溝を設けている。
特に、本発明のシャッタ式雨戸装置に於いては、上記シャッタの引き出し方向先端に位置するスラットの屋内側面で、少なくともこのシャッタを閉鎖位置に移動させた状態で屋外側から見えない部分に、このシャッタを上記上枠及び下枠に沿って移動させる際の手掛かりとなる移動框を結合固定している。
【発明の効果】
【０００８】
上述の様に構成する本発明のシャッタ式雨戸装置の場合には、シャッタを閉鎖位置に移動させた状態では、シャッタを上枠及び下枠に沿って移動させる際の手掛かりとなる移動框が、屋外側に露出しなくなる。この為、閉鎖状態で屋外から見た場合の意匠をすっきりとした良好なものにできるだけでなく、屋外側から上記シャッタを解放する為の手掛かりを少なくして、このシャッタを屋外側からこじ開けにくくでき、防犯の面からも好ましくなる。
【発明を実施するための最良の形態】
【０００９】
本発明を実施する場合に好ましくは、請求項２、３に記載した様に、各スラットとして、アルミニウム合金或いは合成樹脂の押出型材製で、屋内側面の幅方向２個所位置に、それぞれがシャッタの移動方向に開口した係止凹溝が、互いの開口を逆方向に向けた状態で設けられたものを使用する。又、移動框は、押出型材製で、屋外側端部の２個所位置に第一、第二の係止突条を形成したものを使用する。
【００１０】
そして、例えば請求項２に記載した様に、このうちの第一の係止突条を、シャッタの引き出し方向先端に位置するスラットの屋内側面に形成した１対の係止凹溝のうちの一方の係止凹溝に、第二の係止突条を他方の係止凹溝に、それぞれ係止する事により、上記引き出し方向先端に位置するスラットの屋内側面に結合固定する。
この様な構成を採用すれば、上記移動框を上記スラットに対し、容易にしかも強固に結合固定できる。
【００１１】
或いは、請求項３に記載した様に、上記第一、第二の係止突条のうちの一方の係止突条を、シャッタの引き出し方向先端に位置するスラットの屋内側面に形成した１対の係止凹溝のうちの先端側の係止凹溝に係止する。又、他方の係止突条を、シャッタの引き出し方向先端に位置するスラットの隣に位置する第二のスラットの屋内側面に形成した１対の係止凹溝のうち、このシャッタの引き出し方向先端に位置するスラットから遠い側に存在する係止凹溝に係止する。これにより、上記引き出し方向先端に位置する２枚のスラットの屋内側面に結合固定する。
【００１２】
この様に構成すれば、上記移動框に手を掛けて、上記シャッタの巻き取り軸への巻き取り及びこの巻き取り軸からの引き出しを行なう際に於ける、上記移動框の移動に対する抵抗を大きくなりにくくできる。即ち、上記各スラットの上下両端縁部が係合している上部ガイド溝及び下部ガイド溝の幅寸法は、上記シャッタの移動を可能とすべく、上記各スラットの上下両端部でこれら各ガイド溝に係合している部分の厚さ寸法よりも少し大きくしている。従って、上記移動框に手を掛けて上記引き出し方向先端に位置するスラットを押し引きすると、このスラットの幅方向が上記両ガイド溝の長さ方向に対し傾斜する傾向になる。そして、この傾斜角度が大きくなると、上記スラットの上下両端部と上記両ガイド溝との間に作用する摩擦が大きくなり、上記移動框を移動させる為に要する力が大きくなる。これに対して、上記請求項３に記載した様に、隣り合う２枚のスラット同士を結合し、これら両スラット同士が折れ曲がらない様にすれば、上記傾斜角度が大きくならず、上記移動框を移動させる為に要する力が徒に大きくなる事を防止できる。
【００１３】
又、上述の様な請求項３に記載した発明を実施する場合に好ましくは、請求項４に記載した様に、上記移動框の屋外側端部で第一、第二の係止突条の間部分に、第三の係止突条を形成する。そして、この第三の係止突条を、これら第一、第二の係止突条を係止した係止凹溝の間に存在する別の係止凹溝に係合させる。
この様に構成すれば、上記２枚のスラット同士の結合部が上記移動框から離れる方向に変位する事を防止して、上記シャッタの先端部の剛性を向上させられる。
【００１４】
又、上述の請求項２〜４に記載した発明を実施する場合に好ましくは、請求項５に記載した様に、上記移動框を、それぞれが押出型材製である主体と補助体とをねじにより結合固定して構成する。そして、このうちの主体の屋外側端部に第一の係止突条を、補助体の屋外側端部に第二の係止突条を、それぞれ形成する。
この様に構成すれば、第一、第二の係止突条（請求項４に記載した発明の場合には更に第三の係止突条）を係止凹溝に係合させる作業を容易に行なえる。即ち、これら各係止突条を形成した移動框を一体としても、これら各係止突条を上記各係止凹溝に、スラットの長さ方向端部から滑り込ませる事で、係合させる事は可能である。但し、係合作業が面倒になり、特に、シャッタ式雨戸装置を窓開口部分に建て込んだままの状態で上記移動框の着脱作業を行なう事はできない。
これに対して、上述の様に、上記移動框を主体と補助体とから構成すれば、上記各係止突条と上記各係止凹溝との係合作業が容易になり、シャッタ式雨戸装置を窓開口部分に建て込んだままの状態で上記移動框の着脱作業を行なう事も可能になる。
【００１５】
又、本発明を実施する場合に、シャッタは１枚で片開きであっても良いが、請求項６に記載した様に、２枚のシャッタを両開き式に設置する事が、開口部の開閉状態の調節の自由度を高くする面からは好ましい。この場合には、巻き取り軸を開口部の両側方部分に設ける。そして、この開口部を閉鎖する状態で、これら両巻き取り軸から引き出した１対のシャッタの先端縁同士を、この開口部の水平方向中間部で突き合わせる。
この様な両開き式のシャッタ式雨戸装置で本発明を実施する場合には、上記両シャッタの引き出し方向先端に位置するスラットの屋内側面で、これら両シャッタを閉鎖位置に移動させた状態で屋外側から見えない部分に、それぞれ移動框を結合固定する。
【実施例】
【００１６】
図１〜１８は、本発明の実施例を示している。先ず図１は、本発明のシャッタ式雨戸装置を、１対のシャッタ１、１を閉鎖位置にまで移動して窓開口を閉鎖した状態で、屋外側から見た正面図である。上記シャッタ式雨戸装置は、それぞれが上記両シャッタ１、１を収納する為の戸袋ケース部２、２を有する。これら両戸袋ケース部２、２は、それぞれ鉛直方向に配置した状態で、建造物の壁３の外壁面で、この壁３に形成した窓開口４（図２、４参照）の両側部分に支持固定している。又、上記両戸袋ケース部２、２の上端の互いに対向する側面同士の間に上枠５を、同じく下端の互いに対向する側面同士の間に下枠６を、それぞれ掛け渡す様に、互いに平行に、水平方向に設けている。
【００１７】
上記両シャッタ１、１はそれぞれ、鉛直方向に長い短冊状のスラット７、７を揺動変位自在に結合して成る。これら各スラット７、７は、アルミニウム合金或いは硬質合成樹脂を射出成形して成る長尺材を所定長さに切断して互いに同じ長さ寸法を有する定尺材を得、更にこの定尺材の中間部上下両端近傍部分に、それぞれ上部ガイド切り欠き８と下部ガイド切り欠き９（図４参照）とを形成して成る。この様にして得た上記各スラット７、７の幅方向（図２〜３の左右方向）両端縁部には、それぞれ屋内側（図２〜３の下側）に折れ曲がった折れ曲がり板部１０ａ、１０ｂを形成している。そして、一端縁（図２〜３の右側のシャッタ１を構成する各スラット７、７の左端縁、左側のシャッタ１の場合は右端縁）側の折れ曲がり板部１０ａの屋外側端縁から、先端縁に向かう程屋内側に向かう方向に回り込んだ屋外側係合湾曲部１１を、上記折れ曲がり板部１０ａよりも幅方向に突出する状態で形成している。これに対して、他端縁（図２〜３の右側のシャッタ１の場合の右端縁、左側のシャッタ１の場合の左端縁）側の折れ曲がり板部１０ｂの屋内側端縁から、先端縁に向かう程屋外側に向かう方向に回り込んだ屋内側係合湾曲部１２を形成している。
【００１８】
そして、隣り合うスラット７、７同士の間で、上記屋内側係合湾曲部１２と上記屋外側係合湾曲部１１とを係合させる事により、上記隣り合うスラット７、７を、揺動変位自在に連結している。尚、この様にして連結したスラット７、７は、図２〜３に示す状態よりもシャッタ１の屋内面側（図２〜３の下面側）が凹面となる方向には揺動するが、この屋内面側が凸面となる方向に揺動する事はない。この様な凸面となる方向への揺動は、隣り合うスラット７、７の一端縁に形成した屋外側係合湾曲部１１の基部と、同じく他端縁に形成した上記折れ曲がり板部１０ｂとの衝合により阻止する。
【００１９】
上述の様に複数枚のスラット７、７を揺動変位自在に結合して成る上記両シャッタ１、１の基端縁は、それぞれ前記両戸袋ケース部２、２内に設けた巻き取り軸１３に結合し、前記窓開口４を解放する際に、この巻き取り軸１３に巻き取る様にしている。本実施例の場合、この巻き取り軸１３は、これら両戸袋ケース部２、２の上下両端部に、両戸袋ケース部２、２毎に互いに同心に設けた１対の軸素子１３ａ、１３ｂと、これら両軸素子１３ａ、１３ｂに上下両端部を外嵌固定した円環状のドラムチューブ５５とにより構成している。上記両シャッタ１、１は、それぞれの基端縁を構成するそれぞれ１枚のスラット７を、図１０に示す様に、何れかの戸袋ケース部２内に回転自在に設けた上記ドラムチューブ５５に、ねじ１４により結合固定している。
【００２０】
この様な巻き取り軸１３を構成する上記両軸素子１３ａ、１３ｂのうち、少なくとも一方（一方にのみ設ける場合には、通常は上側の軸素子１３ａ）と上記戸袋ケース部２との間には、図９、１１に示す様に、ゼンマイ１５を設け、上記巻き取り軸１３に、上記シャッタ１を巻き取る方向の弾力を付与している。但し、この弾力は、このシャッタ１を自動的に巻き取る程大きなものではない。即ち、人がこのシャッタ１の先端縁を上記戸袋ケース部２に向けて押した場合に、このシャッタ１を上記巻き取り軸１３に巻き取る程度の大きさに規制している。尚、上記両軸素子１３ａ、１３ｂの中間部で、上記巻き取り軸１３に巻き取られたシャッタ１を上下から挟む位置に、それぞれフランジ部１６、１６を設けている。又、少なくとも下側（図示の例では両側）の軸素子１３ｂと上記戸袋ケース部２との間に、ラジアル転がり軸受１７とスラスト転がり軸受１８とを設け、上記巻き取り軸１３の回転抵抗の低減を図っている。尚、上記軸素子１３ａの一部で、上記フランジ部１６よりも上記シャッタ１と反対側に突出した部分には、図１３に示す様に、上記ゼンマイ１５の端部を係止する為の係止スリット５６、５６を設けている。図１３に係止スリット５６、５６が２個所設けられているのは、左右の戸袋ケース部２、２同士の間で（或いは戸袋ケース部２の上下で）部品を共通化する為である。
【００２１】
上記両シャッタ１、１を構成する各スラット７、７の上端部に形成した前記上部ガイド切り欠き８は、図４に示す様に、前記上枠５の下面に形成した上部ガイド溝１９に、摺動自在に係合させている。即ち、この上部ガイド溝１９の屋内側面に突設した上部ガイド突条２０を上記上部ガイド切り欠き８に緩く係合させている。又、上記上部ガイド溝１９の屋外側面に係止した上部シール材２１を上記各スラット７、７の上部屋外側面に摺接させている。又、上記各スラット７、７の下端部に形成した前記下部ガイド切り欠き９は、前記下枠６の上面に形成した下部ガイド溝２２に、摺動自在に係合させている。即ち、この下部ガイド溝２２の屋内側面に突設した下部ガイド突条２３を上記下部ガイド切り欠き９に緩く係合させている。又、上記下部ガイド溝２２の屋外側面に係止した下部シール材２４を上記各スラット７、７の下部屋外側面に摺接させている。尚、上記上部、下部両シール材２１、２４は、摩擦係数の小さい弾性材を使用するか、表面に摩擦係数の低い皮膜を形成して、上記各スラット７、７の移動に対する抵抗を低く抑えられる様にしている。
【００２２】
上述の様な構成により、前記各戸袋ケース部２、２内の巻き取り軸１３から、上記上枠５と上記下枠６との間に上記シャッタ１を引き出して、前記窓開口４を塞いだり、或いは、この窓開口４を塞いだこのシャッタ１を上記各戸袋ケース部２、２内に押し込んで、上記巻き取り軸１３に巻き取れる様にできる。この様にして上記窓開口４を開閉する際には、上記シャッタ１の引き出し方向先端部を押し引きする必要がある。この為に、このシャッタ１の先端部に、この押し引き作業の際の手掛かりとなる移動框２５を設けている。
【００２３】
本実施例の場合には、上記シャッタ１を構成する上記各スラット７、７として、図２〜３に示す様な、それぞれの屋内側面の幅方向両端寄りの２個所位置に、それぞれが上記シャッタ１の移動方向（図２〜３の左右方向）に開口した係止凹溝２６ａ、２６ｂを形成したものを使用している。上記各スラット７、７の両端部に形成した係止凹溝２６ａ、２６ｂが開口している方向は互いに逆方向であり、図示の例では、これら両係止凹溝２６ａ、２６ｂが、互いに対向する状態で形成している。又、本実施例の場合には、上記移動框２５は、主体２７と補助体２８とをねじ２９により結合固定して成る。これら主体２７及び補助体２８はそれぞれ、上記各スラット７、７と同様に、アルミニウム合金或いは硬質合成樹脂等の押出型材により造っている。
【００２４】
そして、このうちの主体２７の屋外側端部に形成した第一の係止突条３０（請求項４の第三の係止突条）の先端部に形成したＬ字形の鉤部を、上記シャッタ１の引き出し方向先端に位置するスラット７の屋内側面に形成した１対の係止凹溝２６ａ、２６ｂのうちの一方（図示の例では引き出し方向に関して後側）の係止凹溝２６ａに係止している。又、上記補助体２８の屋外側端部に形成した第二の係止突条３１の先端部に形成したＬ字形の鉤部を他方（図示の例では引き出し方向前側）の係止凹溝２６ｂに係止している。上記主体２７と上記補助体２８とは、この様に、上記第一、第二両係止突条３０、３１の鉤部を上記両係止凹溝２６ａ、２６ｂに係止した状態で、上記ねじ２９により互いに結合し、上記シャッタ１の引き出し方向先端に位置するスラット７の屋内側面に結合固定している。本実施例の場合には、この様な構成を採用する事により、上記移動框２５を上記引き出し方向先端に位置するスラット７に対し、容易にしかも強固に結合固定できる様にしている。
【００２５】
本実施例の場合には、上述の様な構成により、上記両シャッタ１、１を閉鎖位置に移動させた状態では、これら両シャッタ１、１を前記上枠５及び下枠６に沿って移動させる際の手掛かりとなる上記移動框２５が、図１に示す様に、屋外側に露出しなくなる。この為、閉鎖状態で屋外から見た場合の意匠をすっきりとした良好なものにできるだけでなく、屋外側から上記両シャッタ１、１を解放する為の手掛かりを少なくして、これら両シャッタ１、１を屋外側からこじ開けにくくでき、防犯の面からも好ましくなる。
【００２６】
又、図示の実施例の場合には、上記主体２７の屋外側端部で、上記シャッタ１の引き出し方向後側部分に、第三の係止突条３２（請求項３の第二の係止突条）を設けている。そして、この第三の係止突条３２を、上記シャッタ１の引き出し方向先端に位置するスラット７の隣に位置する第二のスラット７の屋内側面に形成した１対の係止凹溝２６ａ、２６ｂのうち、上記引き出し方向先端側に位置するスラット７から遠い側（戸袋ケース部２側）に存在する係止凹溝２６ａと係合させている。従って、図示の実施例の場合に、上記主体２７と上記補助体２８とから成る上記移動框２５は、上記シャッタ１の引き出し方向先端部に存在する２枚のスラット７、７に掛け渡される状態で、これら両スラット７、７に対し結合固定されている。
【００２７】
本実施例の場合には、上述の様な構成を採用する事により、上記移動框２５に手を掛けて、上記シャッタ１の前記巻き取り軸１３への巻き取り及びこの巻き取り軸１３からの引き出しを行なう際に於ける、上記移動框２５の移動に対する抵抗を小さく抑えられる様にしている。即ち、上記各スラット７、７の上下両端部に設けた前記上部、下部両切り欠き８、９が係合している、前記上部ガイド溝１９及び下部ガイド溝２２の幅寸法は、上記シャッタ１の移動を可能とすべく、上記各スラット７、７の上下両端部で上記上部、下部両切り欠き８、９を形成した部分の厚さ寸法よりも少し大きくしている。又、上記移動框２５は、上記シャッタ１よりも屋内側に突出する状態で設けられているので、この移動框２５に手を掛けてこのシャッタ１を押し引きすると、この移動框２５を固定したスラット７、７に、鉛直軸を中心に回転する方向のモーメントが加わる。
【００２８】
従って、上記移動框２５に手を掛けて上記引き出し方向先端に位置するスラット７を押し引きすると、このスラット７の幅方向が上記両ガイド溝１９、２２の長さ方向に対し傾斜する傾向になる。そして、この傾斜角度が大きくなると、上記スラット７の上下両端部が上記両ガイド溝１９、２２の内側面同士の間で突っ張る傾向が強くなり、これらスラット７の上下両端部と両ガイド溝１９、２２の内側面との間に作用する摩擦が大きくなって、上記移動框２５を移動させる為に要する力が大きくなる。これに対して、図示の実施例の場合には、隣り合う２枚のスラット７、７同士を結合し、これら両スラット７、７同士が折れ曲がらない様にしているので、上記傾斜角度が大きくはならない。この為、これら両スラット７、７の上下両端部が上記両ガイド溝１９、２２の内側面同士の間で突っ張る傾向になりにくく、これらスラット７の上下両端部と両ガイド溝１９、２２の内側面との間に作用する摩擦を小さく抑えられて、上記移動框２５を移動させる為に要する力が徒に大きくなる事を防止できる。
【００２９】
更に、図示の実施例の場合には、前記１対のシャッタ１、１の引き出し方向先端部を前記上枠５及び下枠６の中央部で停止させるべく、図３〜８に示す様な上部、下部両ストッパ機構３３、３４を設けている。これら両ストッパ機構３３、３４を構成する為に、上記移動框２５の上端開口部に上部ホルダ３５を、同じく下端開口部に下部ホルダ３６を、それぞれ装着している。合成樹脂を射出成形する等により造られたこれら両ホルダ３５、３６には、それぞれ上部ストッパローラ３７と下部ストッパローラ３８とを、屋内外方向に配置された水平軸を中心とする回転を自在に保持している。又、これら水平軸の両端部は、それぞれ上記両ホルダ３５、３６に内蔵した上部、下部支持ブラケット３９、４０に支持し、更にこれら両支持ブラケット３９、４０を圧縮ばね４１、４１により、上記移動框２５の上端面或いは下端面から突出する方向に押圧している。但し、上記両支持ブラケット３９、４０の昇降量は、上記移動框２５の上端面或いは下端面からの突出量が最も大きくなった場合でも、上記各ストッパローラ３７、３８が、前記上枠５の下面或いは下枠６の上面に近接対向しても接触しない様に、それぞれ規制している。
【００３０】
一方、上記上枠５の長さ方向中央部下面には上部止めブロック４２を、上記下枠６の長さ方向中央部上面には下部止めブロック４３を、それぞれねじ止め固定している。これら両止めブロック４２、４３はそれぞれ、上記各枠５、６の長さ方向中央部に、上記上枠５の下面或いは上記下枠６の上面から最も突出した上部止め壁４４或いは下部止め壁４５を形成している。又、これら両止め壁４４、４５の両側部分を両端部分よりも凹ませて、それぞれ１対ずつの上部保持凹部４６、４６或いは下部保持凹部４７、４７を形成している。更に、上記上部止めブロック４２の両端部下面或いは上記下部止めブロック４３の両端部上面には、それぞれこれら各ブロック４２、４３の両端縁に向かう程上記上枠５の下面或いは上記下枠６の上面からの突出量が少なくなる方向に傾斜した、上部ガイド傾斜面４８、４８或いは下部ガイド傾斜面４９、４９を形成している。
【００３１】
本実施例の場合には、上述の様な上部、下部両ストッパ機構３３、３４を設けている為、前記１対のシャッタ１、１の引き出し方向先端部を、上記上枠５及び下枠６の中央部で、容易且つ確実に停止させる事ができる。即ち、上記移動框２５に手を掛けて、上記両シャッタ１、１を引き出しつつ、この移動框２５を上記上枠５及び下枠６の中央部に移動させると、前記上部、下部両ストッパローラ３７、３８が、前記各圧縮ばね４１、４１を弾性的に縮めつつ、上記上部、下部両ガイド傾斜面４８、４９に乗り上げる。但し、これら両ストッパローラ３７、３８は、上記上部、下部両止め壁４４、４５を越えて移動する事はないので、上記シャッタ１、１の引き出し方向先端部を上記上枠５及び下枠６の中央部で、容易且つ確実に停止させる事ができる。しかも、この状態では、上記両ストッパローラ３７、３８が、上記各圧縮ばね４１、４１の弾力に基づいて、上記上部、下部両保持凹部４６、４７内に嵌り込む。この為、上記シャッタ１、１の引き出し方向先端部の位置が不用意に移動する事はない。施錠時には、この状態で、屋内側でこれら両シャッタ１、１同士を結合するか、或いはこれら両シャッタ１、１と上記上枠５或いは上記下枠６とを結合する。
【００３２】
尚、前記下部ホルダ３６には、上記下部ストッパローラ３８に加えて、屋内外方向に配置された水平軸を中心として回転する案内ローラ５４を設置している。そして、この案内ローラ５４の外周面を、上記下枠６の上面に転がり接触させる事により、上記移動框２５の重量を支え、前記シャッタ１の引き出し及び巻き取りを軽い力で行なえる様にしている。
【００３３】
次に、上述の様なシャッタ式雨戸装置の組立手順に就いて説明しつつ、残りの構成各部に就いて説明する。
先ず、図１４の上半部に示す様に、左右１対の戸袋ケース部２、２と、上枠５と、下枠６とを組み立てる。但し、これら両戸袋ケース部２、２のうちで、屋外側を覆うカバー５０（図２、１７、１８参照）は未だ装着しないでおく。そして、この様に組み立てた、上記各部材２、５、６を、壁３の外壁面のうちで窓開口４（図２、４参照）を囲む部分にねじ止め固定する。その後、前記１対の軸素子１３ａ、１３ｂとドラムチューブ５５とにより構成される巻き取り軸１３にシャッタ１を巻き付けたものを、上記両戸袋ケース部２、２内に組み込む。
【００３４】
次に、図１５に示す様に、上記シャッタ１を上記巻き取り軸１３から、上記上枠５と上記下枠６との間に、前記上部、下部両切り欠き８、９と前記上部、下部両ガイド突条２０、２３とを係合させつつ引き出す。そして、図１６に示す様に、このシャッタ１の先端部屋内側面に前記移動框２５を、前記主体２７と前記補助体２８とをねじ止めする事により結合固定する。
次いで、図１７に示す様に、上記両戸袋ケース部２、２の屋外側の開口部に上記カバー５０をねじ止め固定し、この開口部を覆う。このカバー５０をねじ止め固定する為のねじを螺合させるナット部材は、上記両戸袋ケース部２、２を構成する天板の下面及び底板部の上面に固定している。
そして最後に、図１８に示す様に、上記カバー５０の先端部（図２の左上端部）を覆う補助カバー５１を装着する。この補助カバー５１は、その基端縁部（図２の右端縁部）を上記カバー５０の先端部に形成した係止溝に係合させると共に、その先端寄り部分の屋内側面に形成した突壁の上下両端部のうちの少なくとも上端部を上記上枠５及び上記下枠６に対し、アタッチメント５２（図２参照）とねじ５３とにより結合固定する。
以上の組立作業により、本実施例のシャッタ式雨戸装置を、上記壁３の外壁面のうちで窓開口４を囲む部分に組み付けられる。
【図面の簡単な説明】
【００３５】
【図１】本発明の実施例を示す、シャッタ式雨戸装置を屋外側から見た正面図。
【図２】図１の拡大Ａ−Ａ断面図。
【図３】同拡大Ｂ−Ｂ断面図。
【図４】同拡大Ｃ−Ｃ断面図。
【図５】図４の上部に相当する部分断面図。
【図６】図５の側方から見た図。
【図７】図４の下部に相当する部分断面図。
【図８】図７の側方から見た図。
【図９】戸袋ケース内に設けたシャッタの巻き取り機構部分の側面図。
【図１０】図９のＤ−Ｄ断面図。
【図１１】図９の上部に相当する部分の断面図。
【図１２】図１１の下方から見た図。
【図１３】同Ｅ−Ｅ断面図。
【図１４】シャッタ式雨戸装置の組立工程の初期段階を示す略斜視図。
【図１５】続く工程を示す部分略斜視図。
【図１６】それに続く工程を示す部分略斜視図。
【図１７】更にそれに続く工程を示す部分略斜視図。
【図１８】最終工程を示す略斜視図。
【符号の説明】
【００３６】
１    シャッタ
２    戸袋ケース部
３    壁
４    窓開口
５    上枠
６    下枠
７    スラット
８    上部ガイド切り欠き
９    下部ガイド切り欠き
１０ａ、１０ｂ  折れ曲がり板部
１１    屋外側係合湾曲部
１２    屋内側係合湾曲部
１３    巻き取り軸
１３ａ、１３ｂ  軸素子
１４    ねじ
１５    ゼンマイ
１６    フランジ部
１７    ラジアル転がり軸受
１８    スラスト転がり軸受
１９    上部ガイド溝
２０    上部ガイド突条
２１    上部シール材
２２    下部ガイド溝
２３    下部ガイド突条
２４    下部シール材
２５    移動框
２６ａ、２６ｂ  係止凹溝
２７    主体
２８    補助体
２９    ねじ
３０    第一の係止突条
３１    第二の係止突条
３２    第三の係止突条
３３    上部ストッパ機構
３４    下部ストッパ機構
３５    上部ホルダ
３６    下部ホルダ
３７    上部ストッパローラ
３８    下部ストッパローラ
３９    上部支持ブラケット
４０    下部支持ブラケット
４１    圧縮ばね
４２    上部止めブロック
４３    下部止めブロック
４４    上部止め壁
４５    下部止め壁
４６    上部保持凹部
４７    下部保持凹部
４８    上部ガイド傾斜面
４９    下部ガイド傾斜面
５０    カバー
５１    補助カバー
５２    アタッチメント
５３    ねじ
５４    案内ローラ
５５    ドラムチューブ
５６    係止スリット
【図１】
2006132268.tif 000003
【図２】
2006132268.tif 000004
【図３】
2006132268.tif 000005
【図４】
2006132268.tif 000006
【図５】
2006132268.tif 000007
【図６】
2006132268.tif 000008
【図７】
2006132268.tif 000009
【図８】
2006132268.tif 000010
【図９】
2006132268.tif 000011
【図１０】
2006132268.tif 000012
【図１１】
2006132268.tif 000013
【図１２】
2006132268.tif 000014
【図１３】
2006132268.tif 000015
【図１４】
2006132268.tif 000016
【図１５】
2006132268.tif 000017
【図１６】
2006132268.tif 000018
【図１７】
2006132268.tif 000019
【図１８】
2006132268.tif 000020